(57)【要約】【課題】  特定の光ディスクであるか否かを精度良く判別することができる光ディスク装置を提供する。【解決手段】  特定の光ディスク以外の光ディスクにはデータを書き込まないようにする光ディスク装置２０であって、装着された光ディスク２１に対して紫外線を照射するＵＶ照射手段４０と、装着された光ディスク２１に対して可視光線を照射する可視光線照射手段４２，４４と、光ディスク２１に紫外線および可視光線を照射したときの反射光を受光する受光手段４６と、受光手段４６が受光した紫外線および可視光線を照射したときの各反射光に基づいて、装着されている光ディスク２１が特定の光ディスクか否かを判別する判別手段５２と、判別手段５２が、装着されている光ディスク２１が特定の光ディスクではないと判別した場合には、データ書き込みを実行しないように制御する制御手段５４とを具備する。【選択図】        図１
2006209855.tif 000002
【特許請求の範囲】
【請求項１】
特定の光ディスク以外の光ディスクにはデータを書き込まないようにする光ディスク装置であって、
装着された光ディスクに対して紫外線を照射するＵＶ照射手段と、
装着された光ディスクに対して可視光線を照射する可視光線照射手段と、
光ディスクに紫外線および可視光線を照射したときの反射光を受光する受光手段と、
該受光手段が受光した紫外線および可視光線を照射したときの各反射光に基づいて、装着されている光ディスクが前記特定の光ディスクか否かを判別する判別手段と、
該判別手段が、装着されている光ディスクが前記特定の光ディスクではないと判別した場合には、データ書き込みを実行しないように制御する制御手段とを具備することを特徴とする光ディスク装置。
【請求項２】
紫外線を照射したときに前記受光手段が受光する反射光強度および可視光線を照射したときに前記受光手段が受光する反射光強度のそれぞれの閾値が予め記憶されている記憶手段が設けられ、
前記判別手段は、
紫外線を照射したときに前記受光手段が受光した反射光強度および可視光線を照射したときに前記受光手段が受光した反射光強度を、前記記憶手段内に記憶されているそれぞれの閾値と比較し、紫外線を照射したときの反射光強度および可視光線を照射したときの反射光強度の双方がそれぞれの閾値を越えている場合には、装着されている光ディスクが前記特定の光ディスクであると判別することを特徴とする請求項１記載の光ディスク装置。
【請求項３】
前記可視光線照射手段は、白色光を照射することを特徴とする請求項１または請求項２記載の光ディスク装置。
【請求項４】
前記可視光線照射手段は、白色光を照射する第１の可視光線照射手段と、青色光を照射する第２の可視光線照射とを含むことを特徴とする請求項１または請求項２記載の光ディスク装置。
【請求項５】
前記受光手段は、予め設定された所定の複数の色それぞれについての光強度を検出できるカラーセンサであることを特徴とする請求項１〜請求項４のうちのいずれか１項記載の光ディスク装置。
【請求項６】
前記記憶手段には、前記カラーセンサが検出する複数の色それぞれについて、紫外線を照射したときに前記カラーセンサが検出する反射光強度および可視光線を照射したときに前記カラーセンサが検出する反射光強度の各閾値が予め記憶されており、
前記判別手段は、
前記紫外線照射手段が紫外線を照射したときに前記カラーセンサが検出する複数の色それぞれにおける反射光強度を、前記記憶手段に記憶されている複数の色それぞれについての閾値と比較し、
前記可視線照射手段が可視光線を照射したときに前記カラーセンサが検出した複数の色それぞれにおける反射光強度を、前記記憶手段に記憶されている複数の色それぞれについての閾値と比較し、
紫外線および可視光線を照射したときに前記カラーセンサが検出した複数の色それぞれの反射光強度が、記憶手段に記憶されている各閾値を越えている場合には、装着されている光ディスクが前記特定の光ディスクであると判別することを特徴とする請求項５記載の光ディスク装置。
【請求項７】
前記カラーセンサは、ＲＧＢセンサであることを特徴とする請求項５または請求項６記載の光ディスク装置。
【発明の詳細な説明】
【技術分野】
【０００１】
本発明は、光ディスクに対してデータの書き込みが可能な光ディスク装置に関し、より詳細には特定の光ディスクにのみデータの書き込みが可能な光ディスク装置に関する。
【背景技術】
【０００２】
データを書き込み可能なＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等の光ディスクは、容易に消費者が入手でき、消費者は光ディスク装置を用いて自らデータの書き込みを光ディスクに行うことが一般的である。
【０００３】
一方、喫茶店等におけるビジネスにおいては、店舗内に光ディスクへのデータ記録可能な光ディスク装置と、音楽等のコンテンツを予め記憶しているかまたはこのようなコンテンツを提供するＷＥＢサイト上からダウンロード可能に設けたコンテンツ提供装置（例えばパーソナルコンピュータ）を設置し、入店した顧客に顧客の好きなコンテンツを有料で光ディスクに記録してもらうサービスの提供が検討されている。
【０００４】
かかるサービスでは、店舗側でコンテンツおよび光ディスクを有料で販売し、顧客は店舗側で販売した光ディスクを用いてコンテンツの記録を行ってもらうことが考えられている。
しかし、顧客が自ら持ち込んだ光ディスクにコンテンツを勝手に記録するような事態になると、店舗側での光ディスクの販売による利益を上げることができない。
【０００５】
そこで、店舗側で販売する光ディスクには、一般に販売されている光ディスクとは異なる特性を持たせ、光ディスク装置ではこの特性から店舗側で販売した光ディスクであるか否かを判断し、店舗側で販売した光ディスクにのみコンテンツの記録が可能となるような機能を持たせることが望まれている。
【０００６】
一般に販売されている光ディスクとは異なる特性を有する光ディスクの例として、特許文献１や特許文献２に記載されているようなものが挙げられる。
特許文献１に開示されている光ディスクは、蛍光体微粒子を混入させた透明な特殊インクを用いて判別用のマークを光ディスク内に描いておき、所定波長の光を照射することにより、特殊インク中の蛍光体を発光させることでマークを浮かび上がらせ、特定の光ディスクであるか否かを判別しようとするものである。
【０００７】
また、特許文献２には、データ記憶用のカートリッジに対してカートリッジの種類に応じて異なる発光材料であるマーカーを設けておき、そのカートリッジがドライブでの使用に適しているか否かを識別する構成が開示されている。
【０００８】
【特許文献１】特開平７−１９２３８５号公報
【特許文献２】特表２００１−５１７８４７号公報
【発明の開示】
【発明が解決しようとする課題】
【０００９】
光ディスク材料に蛍光体を混入させた場合、蛍光体を発光させるべく何らかの波長の光を照射し、且つ光ディスク内の蛍光体が発光した光を検出する必要がある。
かかる場合、紫外線（本明細書中、単にＵＶと称する場合がある）を照射して蛍光体からの発光を検出することが考えられてきた。しかし、例えば蛍光体が混入されていない材料であっても緑色の材料系を採用している光ディスクに対してはＵＶを照射した際には蛍光体の蛍光と同色の反射光が生じるので、ＵＶを照射するだけでは特定の光ディスクであるか否かを正確に判別することができないという課題があった。
【００１０】
そこで、本発明の目的は、上記課題を解決すべくなされ、その目的とするところは、特定の光ディスクであるか否かを精度良く判別することができる光ディスク装置を提供することにある。
【課題を解決するための手段】
【００１１】
本発明にかかる光ディスク装置によれば、特定の光ディスク以外の光ディスクにはデータを書き込まないようにする光ディスク装置であって、装着された光ディスクに対して紫外線を照射するＵＶ照射手段と、装着された光ディスクに対して可視光線を照射する可視光線照射手段と、光ディスクに紫外線および可視光線を照射したときの反射光を受光する受光手段と、該受光手段が受光した紫外線および可視光線を照射したときの各反射光に基づいて、装着されている光ディスクが前記特定の光ディスクか否かを判別する判別手段と、該判別手段が、装着されている光ディスクが前記特定の光ディスクではないと判別した場合には、データ書き込みを実行しないように制御する制御手段とを具備することを特徴としている。
この構成を採用することによって、ＵＶだけでなく可視光線を光ディスクに照射して光ディスクの判別を行なうので、光ディスク判別を高い精度で実行することができる。
【００１２】
また、紫外線を照射したときに前記受光手段が受光する反射光強度および可視光線を照射したときに前記受光手段が受光する反射光強度のそれぞれの閾値が予め記憶されている記憶手段が設けられ、前記判別手段は、紫外線を照射したときに前記受光手段が受光した反射光強度および可視光線を照射したときに前記受光手段が受光した反射光強度を、前記記憶手段内に記憶されているそれぞれの閾値と比較し、紫外線を照射したときの反射光強度および可視光線を照射したときの反射光強度の双方がそれぞれの閾値を越えている場合には、装着されている光ディスクが前記特定の光ディスクであると判別することを特徴としてもよい。
この構成により、予め求めておいた閾値に基づいて光ディスクの判別を具体的に実行するので、精度良く判別することができる。
【００１３】
さらに、前記可視光線照射手段は、白色光を照射することを特徴としてもよく、前記可視光線照射手段は、白色光を照射する第１の可視光線照射手段と、青色光を照射する第２の可視光線照射とを含むことを特徴としてもよい。
このように、可視光線としては白色光であってもよく、また白色光と青色光の２つの光を照射するものであってもよい。
【００１４】
さらに、前記受光手段は、予め設定された所定の複数の色それぞれについての光強度を検出できるカラーセンサであることを特徴としてもよい。
このように、複数の色の光強度を検出して光ディスクの判別に用いることによって、さらに精度良く判別が行える。
【００１５】
また、前記記憶手段には、前記カラーセンサが検出する複数の色それぞれについて、紫外線を照射したときに前記カラーセンサが検出する反射光強度および可視光線を照射したときに前記カラーセンサが検出する反射光強度の各閾値が予め記憶されており、前記判別手段は、前記紫外線照射手段が紫外線を照射したときに前記カラーセンサが検出する複数の色それぞれにおける反射光強度を、前記記憶手段に記憶されている複数の色それぞれについての閾値と比較し、前記可視線照射手段が可視光線を照射したときに前記カラーセンサが検出した複数の色それぞれにおける反射光強度を、前記記憶手段に記憶されている複数の色それぞれについての閾値と比較し、紫外線および可視光線を照射したときに前記カラーセンサが検出した複数の色それぞれの反射光強度が、記憶手段に記憶されている各閾値を越えている場合には、装着されている光ディスクが前記特定の光ディスクであると判別することを特徴としてもよい。
この構成により、光ディスクの判別を具体的に精度良く実行することができる。
【００１６】
なお、前記カラーセンサは、ＲＧＢセンサであることを特徴としてもよい。
【発明の効果】
【００１７】
本発明にかかる光ディスク装置によれば、装着された光ディスクが特定の光ディスクである場合にのみデータの書き込みを実行する際の特定の光ディスクであるか否かの判定を、極めて精度良く判定することができる。
【発明を実施するための最良の形態】
【００１８】
(実施例)
以下、本発明にかかる好適な実施例を添付図面に基づいて説明する。
まず、本発明の光ディスク装置の構成を、図１に基づいて説明する。
光ディスク装置２０は、装着された光ディスク２１にデータ書き込み可能に設けられており、装着された光ディスク２１が特定の光ディスクか否かを判別し、特定の光ディスクである場合にのみデータ書き込み可能とする機能を有するものである。
【００１９】
まず、光ディスク装置２０における通常の動作を実行する構成要素について説明する。
光ディスク装置２０は、光ディスク２１を回転させるスピンドルモータ２２と、光ディスク２１にレーザ光を照射すると共に光ディスク２１から反射されたレーザ光を受光する光ピックアップ２４とを具備している。
光ピックアップ２４は、送りモータ２７の駆動によりスレッド軸２５上を光ディスク２１の径方向に移動可能に設けられている。
【００２０】
光ピックアップ２４で受光した光ディスク２１からのレーザ反射光強度信号ａは、ＲＦアンプ２６に出力される。ＲＦアンプ２６では、トラッキングエラー信号ｂ、フォーカスエラー信号ｃ、ウォブル信号ｄ等の各制御信号が生成される。
ＲＦアンプ２６で生成されたトラッキングエラー信号ｂ、フォーカスエラー信号ｃは、サーボプロセッサ２８に入力され、サーボプロセッサ２８はこれら制御信号に基づいて、光ピックアップ２４のトラッキングサーボ、フォーカスサーボを制御する。
ウォブル信号ｄは、ＰＬＬ回路３１に入力され、ＰＬＬ回路３１ではウォブル信号に基づいてデータ書き込み時に用いる同期信号ｅが生成される。同期信号ｅは、後述するエンコーダ３０に入力される。
【００２１】
光ディスク２１へ書き込むべきデータは、エンコーダ３０内に入力され、データのＥＦＭ変調やＥＦＭ＋変調等のエンコード処理がなされ、ＰＬＬ回路３１から入力された同期信号ｅに同期される。
エンコーダ３０でエンコード処理されたデータは、レーザドライバ３２に入力される。レーザドライバ３２では、エンコードされたデータに基づいて光ピックアップ２４内のレーザダイオードの駆動電流を制御し、光ピックアップ２４にデータの書き込みを行なわせる。
【００２２】
光ディスク装置２０全体の動作は、ＣＰＵ４８が制御している。
ＣＰＵ４８は、スピンドルモータ２２や、サーボプロセッサ２８その他の構成要素を制御し、データ読み出し時やデータ書き込み時の動作を統括制御する。
【００２３】
以下、本発明に特有な構成要素について説明する。まず、特定の光ディスクについて説明する。
本実施例で想定している特定の光ディスクとは、光ディスクを構成する材料に蛍光体を混入させたものである。
蛍光体を混入させたことにより、特定の光ディスクに所定の波長の光を照射することによって該特定の光ディスクは発光する。この発光を検出することにより、光ディスクが特定の光ディスクであるか否かを判別することができる。
なお、特許請求の範囲および本明細書中でいう、ＵＶおよび可視光線を照射した時の反射光とは、光ディスク２１において単に反射する光だけではなく、光ディスク２１中で蛍光体が生ずる蛍光を含む概念である。
【００２４】
光ディスク装置２０内には、光ディスク２１に対して所定波長の光を照射するための機構が設けられている。具体的には、ＵＶを照射するＵＶＬＥＤ４０と、白色光を照射する白色ＬＥＤ４２と、青色光を照射する青色ＬＥＤ４４とが設けられている。
各ＬＥＤ４０，４２，４４は、装着された光ディスク２１の記録面側に光を照射できるように光ディスク２１に対して光ピックアップ２４と同一の側に設けられている。
【００２５】
光ディスク装置２０には、各ＬＥＤ４０，４２，４４が照射した光の光ディスク２１からの反射光を受光するために，カラーセンサの一例としてのＲＧＢセンサ４６が設けられている。
ＲＧＢセンサ４６は、赤（Ｒｅｄ）、緑（Ｇｒｅｅｎ）、青（Ｂｌｕｅ）の３色のそれぞれの光強度を検出可能な素子であって、フォトダイオードの受光面側に赤、緑、青のフィルターのいずれかが配置されるように切換可能に設けられているものである。赤のフィルターが受光面側に配置されているときは赤色光の光強度を検出し、緑のフィルターが受光面側に配置されているときは緑色光の光強度を検出し、青のフィルターが受光面側に配置されているときは青色光の光強度を検出することができる。
【００２６】
各ＬＥＤ４０，４２，４４のそれぞれの照射のオン―オフは、ＣＰＵ４８が制御している。ＣＰＵ４８は、各ＬＥＤ４０，４２，４４に対してオン―オフ制御信号ｆを出力し、各ＬＥＤによる各色の光の照射を切換えている。
【００２７】
ＲＧＢセンサ４６の各色のフィルターの切換えもＣＰＵ４８によって制御されている。すなわち、ＣＰＵ４８は所定のタイミングでフィルター切換信号ｇをＲＧＢセンサ４６へ出力し、ＲＧＢセンサ４６が検出する光の色を選択している。
【００２８】
ＣＰＵ４８には、光ディスク判別用データが記憶されているＲＯＭ等の記憶手段５０が接続されている。
光ディスク判別用データとは、ＲＧＢセンサ４６がＵＶおよび可視光線（白色光および青色光）を照射した場合、光ディスク２１からの反射光を受光したときの光強度がそれぞれ所定の値以上であれば装着されている光ディスク２１が特定の光ディスクであると判定できる光強度に関するデータであって、予め算出して記憶手段５０に記憶させておく。
【００２９】
さらに、ＣＰＵ４８には、ＲＧＢセンサ４６によって測定された各光強度の値を一旦記憶させておく測定結果記憶手段５５が設けられている。
測定結果記憶手段５５は、ＣＰＵ４８内部のメモリ領域であっても、ＣＰＵ外部に接続されているＲＡＭ等のメモリであってもよい。
【００３０】
なお、本実施例では、ＵＶ、白色および青色の３種類の光を光ディスク２１に照射した場合のそれぞれの光における、ＲＧＢセンサ４６での赤色、緑色および青色の３種類の受光強度の閾値が光ディスク判別用データとして記憶されている。
これを具体的に説明すると、この光ディスク判別用データは、ＵＶを光ディスク２１に照射した場合にＲＧＢセンサ４６において検出される赤色光、緑色光および青色光の光強度の閾値、白色光を光ディスク２１に照射した場合にＲＧＢセンサ４６において検出される赤色光、緑色光および青色光の光強度の閾値、ならびに青色光を光ディスク２１に照射した場合にＲＧＢセンサ４６において検出される赤色光、緑色光および青色光の光強度の閾値からなる。
【００３１】
ＣＰＵ４８は、ＲＧＢセンサ４６で検出されたＵＶ、白色および青色の光を照射した場合のそれぞれにおける赤色、緑色および青色の反射光強度と、記憶手段５０に記憶されている各反射光強度の閾値とを比較し、それぞれの反射光強度が閾値を越えている場合には特定の光ディスク２１であると判別する判別手段５２と、判別手段５２によって特定の光ディスクであると判別された場合にのみデータ書き込み可能とし、特定の光ディスク以外の光ディスクであると判別された場合にはデータ書き込みを実行しないように各構成要素を制御する制御手段５４とを備えている。
このような、判別手段５２および制御手段５４は、上記のような動作をするように記述された制御プログラムをＣＰＵ４８が読み込むことにより実行される。
【００３２】
また、上述したような特定の光ディスクであるか否かを判別するための機能としては、ディスク判別用データを用いて所定の光を照射した場合の反射光強度を閾値と比較する方法だけではない。
例えば、図２に示すように、光ディスク２１がＣＤである場合、光ディスク２１の最内周に設けられているリードイン２９のＡＴＩＰ（Absolute Time In Pre-groove）には、製造メーカやディスクの種類といったＡＴＩＰ情報が光ディスク製造時に予め記録されているが、特定の光ディスクにはＡＴＩＰ情報に特定の光ディスクである旨のデータが記録されているはずなので、ＣＰＵ４８がこのＡＴＩＰ情報を読み込んで、判別手段５２がＡＴＩＰ情報を基に特定の光ディスクであるか否かを判別することもできる。
【００３３】
次に、光ディスク装置における特定の光ディスクの判別方法について、図３〜図５に基づいて説明する。
まず、ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザ光を照射させ、光ディスク２１からの反射光があった場合には、ＣＰＵ４８は光ディスク２１が装着されたことを検知する（ステップＳ１００）。
【００３４】
光ディスク２１が装着されたことが判明した場合には、ＣＰＵ４８は回転制御信号ｈを出力してスピンドルモータ２２を所定の回転速度で回転させる（ステップＳ１０２）と共に、送り制御信号ｉを出力して光ピックアップ２４の送りモータ２７を駆動させて光ピックアップ２４を光ディスク２１の最外周に移動させる（ステップＳ１０４）。
このように、光ピックアップ２４を光ディスク２１の最外周に移動させるのは、光ピックアップ２４をＵＶＬＥＤ４０、白色ＬＥＤ４２および青色ＬＥＤ４４から遠ざけることが理由である。すなわち、ＵＶＬＥＤ４０、白色ＬＥＤ４２および青色ＬＥＤ４４の照射時に光ピックアップ２４がその近傍に存在していると、これらＵＶ、白色光あるいは青色光を光ピックアップ２４が反射してしまい、ＲＧＢセンサ４６による光ディスク２１からの反射光の検出に影響を与えるからである。
【００３５】
そして、ＣＰＵ４８は、光ディスク２１に対して白色光を照射するように白色ＬＥＤ４２にオン−オフ制御信号ｆを出力し、ＲＧＢセンサ４６に対しては白色光の反射光に対して赤色、緑色および青色の３色の反射光強度を検出するようにフィルタ切換信号ｇを出力する（ステップＳ１０６）。
白色光照射時に、ＲＧＢセンサ４６が検出した各色における光強度の値は、ＣＰＵ４８が、測定結果記憶手段５５内に記憶させておく。
【００３６】
次に、ＣＰＵ４８は、光ディスク２１に対してＵＶを照射するようにＵＶＬＥＤ４０にオン−オフ制御信号ｆを出力し、ＲＧＢセンサ４６に対してはＵＶの反射光に対して赤色、緑色および青色の３色の反射光強度を検出するようにフィルタ切換信号ｇを出力する（ステップＳ１０８）。
ＵＶ照射時に、ＲＧＢセンサ４６が検出した各色における光強度の値は、ＣＰＵ４８が、測定結果記憶手段５５内に記憶させておく。
【００３７】
そして、ＣＰＵ４８は、光ディスク２１に対して青色光を照射するように青色ＬＥＤ４０にオン−オフ制御信号ｆを出力し、ＲＧＢセンサ４６に対しては青色光の反射光に対して赤色、緑色および青色の３色の反射光強度を検出するようにフィルタ切換信号ｇを出力する（ステップＳ１１０）。
青色光照射時に、ＲＧＢセンサ４６が検出した各色における光強度の値は、ＣＰＵ４８が、測定結果記憶手段内に記憶させておく。
【００３８】
このように、本実施例によるステップＳ１０６、Ｓ１０８およびＳ１１０の工程によって検出される光強度の値は９つである（図５参照）。
【００３９】
なお、ここでの例では、白色、ＵＶ、青色の順番にＬＥＤの光を照射させたが、本発明としては光ディスク２１に対して照射させていくか光の順番は、この順番に限定されるものではなく、どのような順番で照射させてもよい。
【００４０】
また、白色、ＵＶ、青色の各光照射時のＲＧＢセンサ４６による反射光の光強度の測定も、赤色、緑色、青色の順番で測定することに限定されるものではなく、どのような順番で光強度を検出してもよい。
【００４１】
そしてＣＰＵ４８は、送り制御信号ｉを出力して光ピックアップ２４の送りモータ２７を制御し、光ピックアップ２４を光ディスク２１の最内周に移動させる（ステップＳ１１２）。
そして、ＣＰＵ４８は、光ピックアップ２４に光ディスク２１のリードイン２９に記録されているＡＴＩＰ情報を読み出させる（ステップＳ１１４）。
【００４２】
ＡＴＩＰ情報は、ＲＦアンプ２６を介してＣＰＵ４８内に入力される。ＣＰＵ４８では入力されたＡＴＩＰ情報を解析して、当該光ディスク２１が特定の光ディスクであるか否かを判断する（ステップＳ１１６）。もしも、ＡＴＩＰ情報に特定の光ディスクである旨の記録がされていなければ、ＣＰＵ４８は、装着されている光ディスク２１は特定の光ディスクでは無いと判別する（ステップＳ１１９）。
ＣＰＵ４８がＡＴＩＰ情報を解析した結果、特定の光ディスクである旨の記録があれば、ステップＳ１２０へ移行する。
【００４３】
ステップＳ１２０では、ＣＰＵ４８は、ステップＳ１０６、Ｓ１０８およびＳ１１０において予め測定して記憶させておいた、白色光、ＵＶおよび青色光を照射したときのＲＧＢセンサ４６における赤色、緑色および青色の光強度の値を測定結果記憶手段５５から取り出し、予め記憶させておいたディスク判別用データである各光強度の閾値を記憶手段５０から取り出し、対応するそれぞれの値を比較する（ステップＳ１１８）。
比較の結果、測定した全ての光強度の値が閾値を越えている場合には、特定の光ディスクであると判別する（ステップＳ１２０）。
【００４４】
ステップＳ１１８において、ＣＰＵ４８は、予め測定して記憶させておいた白色光、ＵＶおよび青色光を照射したときのそれぞれのＲＧＢセンサ４６における赤色、緑色および青色の光強度の値のうち、記憶手段５０から取り出した閾値を越えないものが１つでも存在している場合には、特定の光ディスクでは無いと判別する（ステップＳ１１９）。
このように、ＡＴＩＰ情報では特定の光ディスクであると判別された場合であっても、実際にＵＶ、白色および青色のそれぞれの光を照射して反射光を測定することによって、判別の正確を期すことができる。
すなわち、通常の光ディスクに偽のＡＴＩＰ情報を記録し、蛍光体を混入させたように見た目の色を特定の光ディスクに模した偽特定光ディスクの製造も可能であるので、このような偽特定光ディスクを精度良く判別することができる。
【００４５】
なお、特定の光ディスクではないと判別された場合（ステップＳ１１９）には、ＣＰＵ４８の制御手段５４は、この光ディスクに対してはデータ書き込みをしないようにスピンドルモータ２２、光ピックアップ２４、エンコーダ３０等の各構成要素を制御する(ステップＳ１２１）。
【００４６】
一方、特定の光ディスクであると判別された場合（ステップＳ１２０）には、この光ディスクに対しては、ユーザの操作通りにデータの書き込みを実行すべく、ＣＰＵ４８の制御手段５４は、スピンドルモータ２２、光ピックアップ２４、エンコーダ３０等の各構成要素を制御する(ステップＳ１２２）。
【００４７】
なお、上述してきた実施例においては、ＵＶ、白色光、青色光の３種類の光を照射する場合についてのみ説明したが、本発明としては、ＵＶと可視光線を照射するのであれば、実施例の組み合わせに限定されることはない。
【００４８】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００４９】
【図１】本発明にかかる光ディスク装置の内部構成を示すブロック図である。
【図２】光ディスクのリードイン領域について説明する光ディスクの断面図である。
【図３】特定の光ディスクか否かを判別する方法について説明するフローチャートである。
【図４】図３のフローチャートの続きである。
【図５】光ディスク判別のために光ディスク装置が検出する光の種類をまとめた説明図である。
【符号の説明】
【００５０】
２０   光ディスク装置
２１   光ディスク
２２   スピンドルモータ
２４   光ピックアップ
２５   スレッド軸
２６   ＲＦアンプ
２７   送りモータ
２８   サーボプロセッサ
２９   リードイン
３０   エンコーダ
３１   ＰＬＬ回路
３２   レーザドライバ
４０   ＵＶＬＥＤ
４２   白色ＬＥＤ
４４   青色ＬＥＤ
４６   ＲＧＢセンサ
４８   ＣＰＵ
５０   記憶手段
５２   判別手段
５４   制御手段
５５   測定結果記憶手段                                                            
【図１】
2006209855.tif 000003
【図２】
2006209855.tif 000004
【図３】
2006209855.tif 000005
【図４】
2006209855.tif 000006
【図５】
2006209855.tif 000007